(57)【要約】本発明は、一組の導電性コードを有し、容易に操作される手動の相互接続装置を組み込む着用可能な衣類に係る。該装置は、衣類を着用するユーザが共通の電源を使用して異なる入力電圧レベルを要求する異なる相互接続装置を操作する、ことを可能とする。ユーザによる解除可能なロック動作を介して、電子装置は、導電性コードに電気的に結合され、電源に順番に結合される。外付け電子装置を導電性コードに単に結合することによって、接続された装置の適切な入力電圧レベルは、導電性コードによって与えられた張力量に基づいて検出される。
2006526977.tif 000002
【特許請求の範囲】
【請求項１】
相互接続器具であって、
少なくとも一組の導電性コードを有する少なくとも１つの相互接続構成要素と、
前記導電性コードが電子装置に解除可能に結合されている際、前記導電性コードに適用される張力量を検出するセンサと、
前記検出された張力に基づいて前記電子装置に適用された動作電圧を選択に変化させるコントローラと、
を有する相互接続器具。
【請求項２】
前記外付け電子装置に前記動作電圧を供給する電源を更に有する、
請求項１記載の相互接続器具。
【請求項３】
前記相互接続器具は、衣類に組み入れられた繊維回路に結合される、
請求項１記載の相互接続器具。
【請求項４】
前記導電性コードは、電気信号を送信するよう前記電子装置をはめ込み且つ支持するよう、前記衣類の外側表面に取り付けられる、
請求項１記載の相互接続器具。
【請求項５】
前記電子装置は、前記導電性コードを電気的及び物理的に結合させるよう、両端部に少なくとも一組の溝を有する、
請求項１記載の相互接続器具。
【請求項６】
請求項１記載の相互接続器具を有する、着用可能な衣類。
【請求項７】
請求項２記載の相互接続器具を有する、着用可能な衣類。
【請求項８】
請求項３記載の相互接続器具を有する、着用可能な衣類。
【請求項９】
請求項４記載の相互接続器具を有する、着用可能な衣類。
【請求項１０】
請求項５記載の相互接続器具を有する、着用可能な衣類。
【請求項１１】
電子装置の動作電圧を制御する方法であって、
着用可能な衣類において少なくとも１つの電源を備える段階と、
前記電源への結合としての役割をなすよう少なくとも一組の導電性コードを有する相互接続装置を前記着用可能な衣類に取り付ける段階と、
電子装置を前記一組の導電性コードに解除可能に結合させる段階と、
前記電子装置に電気的に結合されている際、前記導電性コードに適用される前記検出された張力に基づいて前記電子装置に対する適切な動作電圧を決定付ける段階と、
を有する方法。
【請求項１２】
前記着用可能な衣類を人に着せる段階を更に有する、
請求項１１記載の方法。
【発明の詳細な説明】
【技術分野】
【０００１】
本発明は、衣類に埋め込まれた繊維電気回路に接続された電子装置の種類を検出するよう意図された相互接続システムに係る。より特には、本発明は、衣類に組み入れられた一組の可変抵抗コードを有する相互接続システムに係る。該システムは、コード内の抵抗の変化に従って、接続された電子装置の動作電圧を変化させる。
【背景技術】
【０００２】
着用可能な電子装置において、衣類の柔らかい特性という必要要件に対して調整された電気的相互接続というソリューションを有することが望ましい。加えて、衣類に接続された装置によって毎回依存して、異なる電圧で動作する多種の着用可能な電子装置に使われ得る１つの電源を有することが望ましい。しかしながら、近年の発明者が知る限りでは、着用可能な電子応用における従来技術の装置は、衣類に接続された電子装置の種類を検出し、それに従って電圧を調整することはできない。
【発明の開示】
【発明が解決しようとする課題】
【０００３】
従って、本発明は、衣類に接続された装置の種類を自動的に検出し、それに従って電力又はインタフェースを調整することができる、衣類の電気コネクタに係る。加えて、本発明は、かかるコネクタの製造を、衣類製造産業内で幅広く支持されるよう衣類産業で使用される製造技術に可能な限り近づけるようにする。
【課題を解決するための手段】
【０００４】
本発明は、電気的相互接続システムを有する着用可能な衣類を開示する。該衣類は、衣類の本体に取り付けられた少なくとも一組の導電性コードを有する。少なくとも一組の溝を有する外付け電子装置は、電源を結合するよう衣類の導電性コードに着脱可能なように結合される。電源コードは、衣類の材料に組み入れられた繊維回路に電気的に結合される。
【０００５】
本発明の一面によれば、望ましい形状及び機能の衣類は、容易に入手可能である繊維及び材料を使用して従来通りに構成され得、電気的相互接続システムは、人によって容易に手動で起動することができるよう有利に位置付けられ得る。
【０００６】
本発明の他の面によれば、相互接続システムは、少なくとも２つの溝を有する外付け電子装置に解除可能に結合された一組の平行な導電性コードを有する。溝は、衣類上の繊維回路又はネットワークに順番に接続される一組の平行な導電性コードにドッキングする。コードは、装置を機械的に適所に固定するよう必要な張力を与えるよう、また、衣類上の他の場所に位置付けられた電源への正電位接続を可能にするよう、十分な伸縮性がある。実施例では、コードの抵抗の変化が、電子回路によって検出される。該電子回路は、接続された装置の溝の間の距離に関連付けられた電圧に適合するよう、接続された装置の動作電圧を順番に変化させる。他の一実施例では、相互接続システムはまた、自動検出性能がなくても、単一接続が必要とされるより簡単な適用に対して使用され得る。
【発明を実施するための最良の形態】
【０００７】
以下の記述中、制限ではなく説明の意図として、本発明の完全な理解を与えるよう具体的な詳細は、特定の構造、インタフェース、技術等を説明される。平易性及び明確性を意図して、周知の装置、回路、及び方法の詳細な説明は省略され、不必要な詳細で本発明のの記述を不明瞭にしない。
【０００８】
図１を参照すると、本発明に従った電気的相互接続装置１０は、着用可能な衣類１８に組み入れられた一組のコード１２を有する。図示する通り、相互接続装置１０は、衣類１０の繊維から延びる一組の平行で可変抵抗の導電性コード１２を有する。該コード１２は、衣類１８に備えられた繊維回路又は電源に結合される。
【０００９】
動作中、着用者は容易に電子装置１４をはめ込むことができる。該電子装置とは、携帯電話、ラジオ、ポケットベル、ＧＰＳ装置、携帯通信端末、外付け心臓モニタ装置、あるいは、他の信号トランスミッタ又は双方向対話型システム等であり、単に溝１６にドッキングさせることによって、バンドの着用者である人がどこにでも携帯できるものである。楕円形の電子装置１４が例示を目的として図示されるが、本発明は他の形状を支持することが可能であることは理解されるべきである。故に、図中の電子装置１４の形状は、本発明の範囲上に制限を課すべきではない。
【００１０】
図１に図示された実施例では、衣類１８は従来の、袖のないシャツ、あるいは、長袖又は半袖、ベスト又はジャケット等の形状であり得る。加えて、衣類１８の材料は、天然または合成のいずれでもよく、かかる材料から作られた繊維は、周知のように織られているかシート状になっているかのいずれかであり得る。
【００１１】
図２を参照すると、一組の伸縮性のコード１２は、電源の接続を可能にし、信号又は電力を送るよう外付け電子装置１４の導電性の溝１６に電気的に結合される。図示される通り、コード１２は、電子装置１４を適所に保持するよう適切な張力を与えるよう十分に伸縮性があり、一方では衣類上の所定の位置に置かれる電源に正電位接続を与える。
【００１２】
電子装置１４の溝１６の間の距離は、相互接続された装置の寸法に依存して変化することが留意される。従って、溝１６の距離は、各装置が動作する電圧に関係する。例えば、溝の間の距離が同一である場合は、動作電圧は同一でなければならない。他の装置はコード１２を異なって伸張し得、故に異なる動作電圧が要求される。従って、実施例では、コード１２の抵抗における変化は、溝１６の間にドッキングされた異なる電子装置を検出するよう利用され、従って、検出された抵抗は電子装置１４に適用される動作電圧を変化させるよう使用される。
【００１３】
図３は、本発明に従った電気的相互接続装置１０の典型的な回路図を描写する。図示される通り、電気的相互接続装置１０は、一連のスイッチ（Ｓ１−Ｓｎ）及び抵抗（Ｒ１−Ｒｎ）を有するブリッジ・スイッチ、ＣＰＵ又はコントローラ２２、張力センサ２４、及びバッテリ電源２６を有する。図示されたものとは異なるプラナボードの他のハードウェア構造が成功裏に使用され得ることは、当業者には明らかである。更に、電気的相互接続装置１０に関連付けられた多種の機能的動作は、プログラム・メモリ内に格納されプロセッサによって実行される１つ又はそれ以上のソフトウェア・プログラム／信号の処理ルーチンの全体又は一部分で実施され得る。プログラム・メモリは、例えばディスクを用いた光学又は磁気記憶ユニット、電子メモリ、また、これらの及び他のメモリ装置の一部分又は組合せを表し得る。
【００１４】
動作中、電子装置１４の導電性範囲１６は、コード１２に電気的に取り付けられ、衣類１８に組み入れられた繊維回路の導電性トラックに順番に電気的に結合される。この段階で、張力センサ２４は、伸縮性コード１２によって与えられた伸張量を決定付けるよう起動される。コード１２は、溝１６の間の距離に従って延ばされる。コード１２の抵抗における変化は、張力センサ２４によって検出され、この結果はコントローラ２２に送られる。該コントローラは、接続された電子装置１４の溝１６の間の距離に関連された電圧に応答するよう、相互接続装置１０の動作電圧を順番に変更する。これを達成するよう、メモリ（図示せず）は、コード１２によって与えられる多種の抵抗レベルに合致する異なる動作電圧レベルを有する参照テーブルを備えられ得る。
【００１５】
接続された電子装置１４によって求められる適切な動作電圧を決定付ける際、コントローラ２２は、ブリッジ・スイッチ２０を介してスイッチＳ１、Ｓ２及びＳ３を選択的に起動させるため、適切な電圧量が電子装置１４へと供給され得る。
【００１６】
本発明の望ましい実施例が説明されてきたが、多種の変更及び修正がなされ得ることは当業者によって理解され、本発明の真の範囲から逸脱することなく同等のものがその構成要素に代替され得る。従って本発明は、本発明を実行するよう意図された最良の形態として開示された特定の実施例に制限されるべきではなく、本発明は、添付の請求項の範囲内に入る全ての実施例を有する。
【図面の簡単な説明】
【００１７】
【図１】本発明に従った電気的相互接続システムの一実施例を図示する。
【図２】本発明の実施例に従った動作中の図１の電気的相互接続システムを図示する。
【図３】本発明の実施例に従った図１の電気的相互接続システムの同等の回路図を図示する。
【図１】
2006526977.tif 000003
【図２】
2006526977.tif 000004
【図３】
2006526977.tif 000005
【国際調査報告】
2006526977.tif 000006
2006526977.tif 000007
2006526977.tif 000008